Podtech/llm-jp-corpus-v4-ja_patent huggingface dataset:
(57)【要約】【課題】美容院で髪にパーマを掛けたり髪を染めたりする場合、眼鏡のテンプルが耳の位置にあり施術をするときに邪魔になることと、髪にパーマを掛けたり髪を染める時に使用する塗布薬剤が、眼鏡に付着すると眼鏡に損傷もあるが、眼鏡を通して頭の皮膚に薬剤を付けてしまい怪我の原因となるその為に、眼鏡を外す必要がある。しかし、美容院での滞在時間は、カラー、カット、パーマで３時から４時間位掛かることから消費者が、時間を持て余す状況にある。しかし、施術中又はミストに入っている間で、雑誌を読んだり出来る時間が多くあるが、従来の眼鏡では、テンプルが耳に掛かる構造となっているために眼鏡を使用できない状況にある。【解決手段】この様な課題を解決するための技術的手段は、人の顔の骨格に構造に注目し眼鏡のテンプルは、耳に掛けるものだという概念から、眼鏡が顔から外れないためにテンプルが顔の頬骨、顎のエラ骨を利用し眼鏡が前方向に移動する力を止める構造を持った眼鏡を提供する。【選択図】図２
2014206713.tif 000002
【特許請求の範囲】
【請求項１】
テンプルを耳に掛けないことを特徴とする眼鏡であるからリムの左右にあるテンプルは、一般的な眼鏡のテンプルと比較して図２に示されるようにテンプル１は、４０度から６５度の範囲で下方に折れ曲がっている眼鏡１０である。
【請求項２】
テンプルを耳に掛けないことを特徴とする眼鏡であるから図２に示すように鼻の支点となる部分１３とノーズパット４を支点に下方向への力を支え、左右にあるテンプル１が頬骨１１の上奥から顎のエラ骨１２の奥で止め、眼鏡が前方向に移動しないよう固定する構造を持つた眼鏡１０である。
【発明の詳細な説明】
【発明に属する技術分野】
【０００１】本発明は、掛けている眼鏡を顔に固定する眼鏡のテンプルに関する。
【背景技術】
【０００２】人の顔に掛けている眼鏡は、鼻と眼鏡のノーズパットで下方向に掛かる力を支える。またテンプルを耳に掛けることにより前方向に眼鏡が外れることを止める構造となっている。
【発明が解決しようとする課題】
【０００３】美容院で髪にパーマを掛けたり髪を染めたりする場合、眼鏡のテンプルが耳の位置にあり施術をするときに邪魔になることと、髪にパーマを掛けたり髪を染める時に使用する塗布薬剤が、眼鏡に付着すると眼鏡に損傷もあるが、眼鏡を通して頭の皮膚に薬剤を付けてしまい怪我の原因となるその為に、眼鏡を外す必要がある。
【０００４】しかし、美容院での滞在時間は、カラー、カット、パーマで３時から４時間位掛かることから消費者が、時間を持て余す状況にある。しかし、施術中又はミストに入っている間で、雑誌を読んだり出来る時間が多くあるが、従来の眼鏡では、テンプルが耳に掛かる構造となっているために眼鏡を使用できない状況にある。
【０００５】本発明は、このような問題点を鑑みて眼鏡のテンプルを耳に止めない新たな構造をもった眼鏡の提供を目的とする。
【問題を解決するための手段】
【０００６】このような課題を解決するための本発明の技術的手段は、人間の顔の骨格構造に注目し、眼鏡のテンプルは、耳に掛けるものだという概念から、眼鏡が顔から外れないようにするために、顔の頬骨、顎のエラ骨を利用し眼鏡を固定する構造をもった図２で示す眼鏡１０を提供する。
【０００７】鼻と眼鏡のノーズパットで下方に掛かる力を支える。左右にあるテンプルが顔の頬骨の上奥側面から顎のエラ骨まで伸びている構造で顎のエラ骨の後ろ側にモダンが掛かるようにし眼鏡全体を持っている伸縮に対する弾力性で左右のテンプルが顔を包む構造となった眼鏡１０を提供する。
【発明の効果】
【０００８】上記の構造を持った眼鏡を提供することで、髪にパーマを掛ける又は髪染の施術をするとき及び次の施術を待っている間、本発明の図２で示す構造をもった眼鏡１０を利用することにより雑誌・新聞等を読める。
雑誌・新聞等が読めることにより美容院での長時間を少しでも快適に過ごすことができる。
【図面の簡単な説明】
【０００９】
【図１】本発明による頬骨と顎のエラで眼鏡のテンプルを止める構造にした眼鏡の図である。
【図２】図１を使用している時の図である。
【発明実施の形態】
【００１０】以下、添付図に基づいて本発明の実施例に関わる眼鏡の使用方法及び眼鏡の機能について説明する。図２に示すようにテンプル１は、一般的な眼鏡のテンプルよりも約４０度から６５度程度下向きになっている。図１の眼鏡１０を掛けるとテンプル１は、図２で示すように顔の頬骨１１の上奥から顎のエラ骨１２の奥に掛かる構造となっている。またモダン２は顎のエラ骨１２に掛かりやすくするため彎曲構造となっている。
図２は、図１の眼鏡１０を掛けた様子を表している。
【００１１】従って、図２の眼鏡１０は、顔に掛けると鼻の支点となる部分１３とノーズパット４を支点に下方向の力を支え、眼鏡が前後にに移動し外れないようにテンプル１が、図２で示すように顔の頬骨１１と顎のエラ骨１２で止めている。また、眼鏡全体が持っている弾力性によって伸縮するので左右のテンプル顔を包む構造となっている。
【００１２】図２で示すようには、頬骨１０の盛り上がりと顎のエラ骨１１の角でテンプル１が固定され前側への移動が起こりにくい構造となっている。
【符号の説明】
【００１３】１    テンプル
２    モダン
３    ブリッジ
４    ノーズパット
６    リム
７    蝶番
１０  眼鏡
１１  頬骨
１２  顎のエラ骨
１３  鼻の支点となる部分
【図１】
2014206713.tif 000003
【図２】
2014206713.tif 000004
【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
テンプルを耳に掛けない眼鏡であって、
下方向の力を支える鼻の支点となる部位およびノーズパットと、
リムと、
前記リムの左右に配置され、装着時に頬骨方向に４０度から６５度の範囲で折れ曲がっている屈曲部と、頬骨の上奥により支持される第１の支持部と、顎のエラ骨の奥に掛かり支持される第２の支持部とを有するテンプルと、
を備えることを特徴とする眼鏡。
【請求項２】
前記テンプルのモダンは、顎のエラ骨に掛かりやすい彎曲構造を備える請求項１に記載の眼鏡。
(57)【要約】【課題】本発明は、バックライト光源用の発光ダイオードパッケージを通常の照明用として使用することができる照明用の発光ダイオードモジュールの製造方法を提供する。【解決手段】本発明に係る照明用の発光ダイオードモジュールの製造方法は、バックライト光源用の発光ダイオードパッケージを提供するステップと、赤色光源及び緑色光源を提供し、且つ赤色光源から出射された光及び緑色光源から出射された光をバックライト光源用の発光ダイオードパッケージから出射された光と混合し、これにより、高演色性を有する照明用の発光ダイオードモジュールを得るステップと、を備える。赤色光源から出射される光のＣＩＥ１９３１色座標におけるＸ軸の座標値は０．５より大きく、ＣＩＥ１９３１色座標におけるＹ軸の座標値は０．２より大きい。【選択図】なし【特許請求の範囲】
【請求項１】
バックライト光源用の発光ダイオードパッケージを提供するステップと、
赤色光源及び緑色光源を提供し、且つ前記赤色光源から出射された光及び前記緑色光源から出射された光を前記バックライト光源用の発光ダイオードパッケージから出射された光と混合し、これにより、照明用の発光ダイオードモジュールを得るステップと、を備え、
前記赤色光源から出射される光のＣＩＥ１９３１色座標におけるＸ軸の座標値は０．５より大きく、ＣＩＥ１９３１色座標におけるＹ軸の座標値は０．２より大きいことを特徴とする、照明用の発光ダイオードモジュールの製造方法。
【請求項２】
前記緑色光源から出射される光のＣＩＥ１９３１色座標におけるＹ軸の座標値は０．６より大きいことを特徴とする、請求項１に記載の照明用の発光ダイオードモジュールの製造方法。
【請求項３】
前記バックライト光源用の発光ダイオードパッケージに、さらに黄色光源が加えられ、前記黄色光源から出射された光は、前記赤色光源、前記緑色光源及び前記バックライト光源用の発光ダイオードパッケージから出射された光と混合し、前記黄色光源から出射される光のＣＩＥ１９３１色座標におけるＸ軸の座標値は０．３より大きいことを特徴とする、請求項２に記載の照明用の発光ダイオードモジュールの製造方法。
【発明の詳細な説明】
【技術分野】
【０００１】
本発明は、半導体素子の製造方法に関し、特に照明用の発光ダイオードモジュールの製造方法に関するものである。
【背景技術】
【０００２】
従来のバックライトモジュールは、導光板及び該導光板に固定され且つ冷白色の光を出す発光ダイオードパッケージを備える。このバックライト光源用の発光ダイオードパッケージから出射される光は、一般的に、低演色性及び高色温度を有するため、通常の高演色性の照明製品に応用することができない。
【発明の概要】
【発明が解決しようとする課題】
【０００３】
前記課題を解決するために、本発明は、バックライト光源用の発光ダイオードパッケージを通常の照明用として使用することができる照明用の発光ダイオードモジュールの製造方法を提供する。
【課題を解決するための手段】
【０００４】
本発明に係る照明用の発光ダイオードモジュールの製造方法は、バックライト光源用の発光ダイオードパッケージを提供するステップと、赤色光源及び緑色光源を提供し、且つ前記赤色光源から出射された光及び前記緑色光源から出射された光を前記バックライト光源用の発光ダイオードパッケージから出射された光と混合し、これにより、高演色性を有する照明用の発光ダイオードモジュールを得るステップと、を備える。前記赤色光源のＣＩＥ１９３１色座標におけるＸ軸の座標値は０．５より大きく、ＣＩＥ１９３１色座標におけるＹ軸の座標値は０．２より大きい。
【発明の効果】
【０００５】
従来の技術と比べて、本発明の照明用の発光ダイオードモジュールの製造方法において、バックライト光源用の発光ダイオードパッケージに赤色光源を加え、且つ赤色光源のＣＩＥ１９３１色座標におけるＸ軸の座標値は０．５より大きく、ＣＩＥ１９３１色座標におけるＹ軸の座標値は０．２より大きいので、高演色性の照明用の発光ダイオードモジュールを得ることができる。
【発明を実施するための形態】
【０００６】
本発明の実施形態に係る照明用の発光ダイオードモジュールの製造方法は、以下のステップ１〜ステップ２を備える。
【０００７】
ステップ１において、冷白色の光を出射し、上記冷白色の光が低演色性及び高色温度を有するバックライト光源用の発光ダイオードパッケージを提供する。該発光ダイオードパッケージの平均演色評価数（Ｒａ）は、７０であり、ＣＩＥ１９３１色座標におけるＸ軸及びＹ軸の座標値は０．２より大きい。
【０００８】
ステップ２において、赤色光源及び緑色光源を提供した後、赤色光源から出射された光、緑色光源から出射された光及び発光ダイオードパッケージから出射された光を混合する。これにより、暖白色の光を出射し、且つ高演色性を有する照明用の発光ダイオードモジュールを得ることができる。
【０００９】
赤色光源のＣＩＥ１９３１色座標におけるＸ軸の座標値は０．５より大きく、ＣＩＥ１９３１色座標におけるＹ軸の座標値は０．２より大きい。緑色光源のＣＩＥ１９３１色座標におけるＹ軸の座標値は０．６より大きい。また、本実施形態において、赤色光源及び緑色光源は、それぞれ単色赤色発光ダイオード及び単色緑色発光ダイオードであっても良い。他の実施形態において、赤色光源及び緑色光源は、バックライト光源用の発光ダイオードパッケージに赤色蛍光体及び緑色蛍光体を塗布する方式によって形成することもできる。具体的には、赤色蛍光体及び緑色蛍光体をそれぞれ透明コロイドと混合した後、赤色蛍光体と透明コロイドとの混合物及び緑色蛍光体と透明コロイドとの混合物を、バックライト光源用の発光ダイオードパッケージに塗布する。
【００１０】
本発明の照明用の発光ダイオードモジュールの製造方法において、バックライト光源用の発光ダイオードパッケージに赤色光源を加えることにより演色性を向上し、また、バックライト光源用の発光ダイオードパッケージに緑色光源を加えることにより、元来黒体放射線からずれた高演色性の光線を黒体放射線の近傍に戻すことができる。さらに、赤色光源及び緑色光源から出射された光を混合するので、照明用の発光ダイオードモジュールの色温度を下げることができる。これにより、照明用の発光ダイオードモジュールは、暖白色の光を出すことができる。
【００１１】
他の実施形態において、バックライト光源用の発光ダイオードパッケージに、さらに黄色光源を加えても良い。黄色光源から出射される光のＣＩＥ１９３１色座標におけるＸ軸の座標値は０．３より大きい。黄色光源を加えるので、照明用の発光ダイオードモジュールの色温度をさらに下げることができる。
(57)【要約】【課題】本発明は、スロットの固定部を容易に動かすことができるメモリカード取り外し補助装置を提供することを目的とする。【解決手段】本発明に係るメモリカード取り外し補助装置は、スロットに挿入され且つスロットの両端にそれぞれ設置された２つの固定部に挟まれたメモリカードを取り外すために使用される。またメモリカード取り外し補助装置は、板体と、板体の底部に設置された抵抗部と、を備え、抵抗部は、各固定部とメモリカードとの間に挿入され、固定部をメモリカードから離れるように動かす。抵抗部は、板体の一側の底部から延伸し、抵抗部の底部は弧形を呈する。【選択図】図２
2014216008.tif 000002
【特許請求の範囲】
【請求項１】
板体と、
前記板体の底部に設置された抵抗部と、
を備え、スロットに挿入され且つ前記スロットの両端にそれぞれ設置された２つの固定部に挟まれたメモリカードを取り外すために使用されるメモリカード取り外し補助装置であって、
前記抵抗部は、各前記固定部と前記メモリカードとの間に挿入され、前記固定部を前記メモリカードから離れるように動かすことを特徴とするメモリカード取り外し補助装置。
【請求項２】
前記抵抗部は、前記板体の一側の底部から延伸し、前記抵抗部の底部は弧形を呈することを特徴とする請求項１に記載のメモリカード取り外し補助装置。
【発明の詳細な説明】
【技術分野】
【０００１】
本発明は、メモリカード取り外し補助装置に関するものである。
【背景技術】
【０００２】
従来の技術において、スロットに挿入されたメモリカードを取り外すには、スロットの両端にそれぞれ設置され且つメモリカードを挟む２つの固定部を互いに離れるように動かして、メモリカードをスロットから取り出す。しかし、固定部を手で動かす際、メモリカードと固定部との間に指が挟まれて怪我をする危険性がある。
【発明の概要】
【発明が解決しようとする課題】
【０００３】
本発明の目的は、前記問題を解決し、スロットの固定部を容易に動かすことができるメモリカード取り外し補助装置を提供することである。
【課題を解決するための手段】
【０００４】
上記目的を達成するために、本発明に係るメモリカード取り外し補助装置は、スロットに挿入され且つスロットの両端にそれぞれ設置された２つの固定部に挟まれたメモリカードを取り外すために使用され、板体と、板体の底部に設置される抵抗部と、を備える。前記抵抗部は、各固定部とメモリカードとの間に挿入され、固定部をメモリカードから離れるように動かす。
【発明の効果】
【０００５】
本発明に係るメモリカード取り外し補助装置は、抵抗部を各固定部とメモリカードとの間に挿入させれば、固定部をメモリカードから離れるように動かすことができるため、手で直接固定部を動かさなくてよい。
【図面の簡単な説明】
【０００６】
【図１】本発明の実施形態に係るメモリカード取り外し補助装置及びマザーボードの分解斜視図である。
【図２】図１に示すメモリカード取り外し補助装置の使用状態を示す側面図である。
【発明を実施するための形態】
【０００７】
図１〜図２に示したように、本発明の実施形態に係るメモリカード取り外し補助装置１０は、マザーボード２０に装着された複数のメモリカード３０を取り外す際に使用される。マザーボード２０には、複数のスロット４０が設置されている。各メモリカード３０の両端には、Ｃ字状を呈する開口がそれぞれ設けられている。各メモリスロット４０の両端には、メモリカード３０の開口に係合可能な固定部５０がそれぞれ設置されており、各固定部５０の上部には、突出部５１が突出している。メモリカード３０がスロット４０にそれぞれ挿入されると、各突出部５１と対応するメモリカード３０との間には、隙間が形成される。また、各突出部５１のメモリカード３０に面する側には、メモリカード３０に向かって、且つ下方へ傾斜する斜面５１２が形成されている。
【０００８】
メモリカード取り外し補助装置１０は、矩形の板体１２と、板体１２の上端の中央から突出している操作部１４と、板体１２の底端から板体１２の一側へ延伸した抵抗部１６と、を備える。抵抗部１６の底面は弧形を呈する。抵抗部１６の長さＬは、並列されたスロット４０の総幅Ｗより長い。なお、抵抗部１６の長さＬとスロット４０の総幅Ｗとは、同じであってもよい。
【０００９】
メモリカード３０をスロット４０から取り外す際、板体１２をマザーボード２０に対して垂直になるように、抵抗部１６を同一側に位置する突出部５１とメモリカード３０との間に挿入する。これにより、抵抗部１６は、固定部５０に面し且つ斜面５１２に当接される。メモリカード取り外し補助装置１０をマザーボード２０に向けて引き続き移動させると、抵抗部１６は斜面５１２に沿ってスライドし、固定部５０をメモリカード３０から離れるように動かす。以上によって、メモリカード３０は、固定部５０による固定から解除され、容易に取り外すことができる。また、メモリカード取り外し補助装置１０は、複数のメモリカード３０を同時に取り外せるので、便利である。
【符号の説明】
【００１０】
１０  メモリカード取り外し補助装置
１２  板体
１４  操作部
１６  抵抗部
２０  マザーボード
３０  メモリカード
４０  スロット
５０  固定部
５１  突出部
５１２  斜面
【図１】
2014216008.tif 000003
【図２】
2014216008.tif 000004
(57)【要約】【課題】低密度でかつ曲げ弾性および音速の値が高い炭素質音響振動板を提供する。【解決手段】炭素質音響振動板は、炭素多孔体からなる低密度層１２とその両面に設けられた炭素からなる高密度層１０とを具備する。低密度層１２中の気孔１８は板の厚み方向に垂直な面内に拡がり拡がった気孔１８と炭素１６の壁とが交互に層をなす構造を有している。【選択図】図１
2014216752.tif 000002
【特許請求の範囲】
【請求項１】
炭素多孔体からなる低密度層と、前記低密度層の少なくとも一方に設けられた少なくとも１つの高密度層であって、前記低密度層よりも薄く、前記低密度層よりも密度が高い高密度層とを具備し、
前記低密度層は、前記炭素多孔体の気孔が板の厚み方向に垂直な面内に拡がり拡がった気孔と炭素の壁とが交互に層をなす構造を有する、炭素質音響振動板。
【請求項２】
前記低密度層の炭素の部分と前記高密度層の炭素とが境目なく連続している請求項１記載の炭素質音響振動板。
【請求項３】
前記気孔は連続気孔である請求項１または２記載の炭素質音響振動板。
【請求項４】
シート状の高分子多孔体の少なくとも一方の面に少なくとも１つのシート状の高分子物質を重ね、
前記シート状の高分子物質が重ねられた前記シート状の高分子多孔体を非酸化性雰囲気中で焼成して炭素化することを含む炭素質音響振動板の製造方法。
【請求項５】
前記シート状の高分子多孔体の厚み方向に荷重をかけることによって、気孔が板の厚み方向に垂直な面内に拡がり拡がった気孔と高分子物質の壁とが交互に層をなす構造とすることをさらに含む請求項４記載の方法。
【請求項６】
前記焼成の前において、前記シート状の高分子物質が重ねられた前記シート状の高分子多孔体を前記焼成の温度よりも低い温度で熱処理することをさらに含む請求項４または５記載の方法。
【発明の詳細な説明】
【技術分野】
【０００１】
本発明は炭素質音響振動板とその製造方法に関する。
【背景技術】
【０００２】
下記特許文献１において説明されているように、音響特性、特に高音域の特性が要求される振動板には、弾性率が高いことと密度が低いことという一見相反する性質が求められる。
【０００３】
特許文献１には、樹脂を焼成して炭素化する過程で消失して気孔を残すＰＭＭＡなどの球状粒子を樹脂に混合して焼成することにより得られる炭素多孔体からなる低密度層の両面に、ＰＭＭＡを使用しない高密度層を配することで、剛性を維持しつつ低密度化した炭素質音響振動板が記載されている。炭素多孔体の気孔が球状粒子の消失により形成されることから、形成される気孔の形状も球状である。
【先行技術文献】
【特許文献】
【０００４】
【特許文献１】特開２０１０−１５７９２６号公報
【発明の概要】
【発明が解決しようとする課題】
【０００５】
本発明の目的は、音響特性、特に高音域の特性に優れた炭素質音響振動板とその製造方法を提供することにある。
【課題を解決するための手段】
【０００６】
本発明によれば、炭素多孔体からなる低密度層と、前記低密度層の少なくとも一方に設けられた少なくとも１つの高密度層であって、前記低密度層よりも薄く、前記低密度層よりも密度が高い高密度層とを具備し、前記低密度層は、前記炭素多孔体の気孔が板の厚み方向に垂直な面内に拡がり拡がった気孔と炭素の壁とが交互に層をなす構造を有する、炭素質音響振動板が提供される。
【０００７】
前記低密度層の炭素の部分と前記高密度層の炭素とが境目なく連続していることが好適である。
【０００８】
前述の炭素質音響振動板は、シート状の高分子多孔体の少なくとも一方の面に少なくとも１つのシート状の高分子物質を重ね、前記シート状の高分子物質が重ねられた前記シート状の高分子多孔体を非酸化性雰囲気中で焼成して炭素化することを含む方法により製造される。
【０００９】
前述の方法は、前記シート状の高分子多孔体の厚み方向に０．１〜１．５ｋＰａの荷重をかけることによって、気孔が板の厚み方向に垂直な面内に拡がり拡がった気孔と高分子物質の壁とが交互に層をなす構造とすることをさらに含むことが好ましい。
【００１０】
前記焼成の前において、前記シート状の高分子物質が重ねられた前記シート状の高分子多孔体を前記焼成の温度よりも低い温度で熱処理することをさらに含むことがさらに好ましい。
【発明の効果】
【００１１】
低密度層が上記のような構造を有することにより、炭素多孔体中の炭素の部分もまた板の厚み方向に垂直な面内に拡がり、すなわち、炭素もまた厚み方向に垂直な面内に配向することにより、低密度を維持しつつ曲げ弾性及び音速を向上させることができる。
【００１２】
また、低密度層の炭素部分と高密度層の炭素とが境目なく連続していることにより、層間の剥離や欠陥の発生がなくなり、一体感のある音質が得られる。
【図面の簡単な説明】
【００１３】
【図１】実施例で得られる振動板の断面のＳＥＭ画像である。
【実施例】
【００１４】
０．５ｍｍ厚のＰＶＡスポンジシート（アイオン株式会社製、ベルイーターＤ（Ｄ））の両面に、セロファンフィルム（フタムラ化学株式会社製、Ｇ−３（＃３００））を液状糊（ヤマト株式会社製、アラビックヤマト）で貼り合わせ、２５０℃で３時間熱処理して炭素前駆体とした。この炭素前駆体を窒素雰囲気中、８００℃で１時間加熱して炭素化し、さらに、窒素雰囲気中、１４００℃で３時間加熱して炭素質音響振動板を得た。
【００１５】
得られた炭素質音響振動板の断面のＳＥＭ（走査型電子顕微鏡）画像を図１に示す。図１からわかるように、セロファンフィルム由来の高密度層１０における炭素１４とＰＶＡスポンジシート由来の低密度層１２における炭素部分１６とが境目なく連続している。また、低密度層１２内の気孔１８は板の厚み方向に垂直な面内に拡がって拡がった気孔１８と炭素部分１６の壁とが交互に層をなしている。
【００１６】
表１に、得られた炭素質音響振動板の厚さ、密度および三点曲げ試験により測定される曲げ弾性の測定結果、および密度と曲げ弾性の値から計算される音速の値を、前述の特許文献１に記載されている結果と共に示す。
【００１７】
【表１】
2014216752.tif 000003
【００１８】
表１に示す結果から、低密度を維持しつつ曲げ弾性及び音速が著しく改善されていることがわかる。
【図１】
2014216752.tif 000004
(57)【要約】      （修正有）【課題】リチウムバッテリが熱暴走を起こさず安全に作動させることができるリチウムイオンバッテリ装置を提供する。【解決手段】収納箱１に収納されており、複数のリチウムイオンバッテリユニット２を収納する内箱５内において、クッション材３で各々のバッテリユニット２を囲み、バッテリユニット２の一つが発熱しても、他のバッテリユニットを加熱することを防止する。また、内箱５と収納箱１との間に、振動吸収用のスプリング４を取り付ける。【選択図】図４
2014216141.tif 000002
【特許請求の範囲】
【請求項１】
リチウムイオンバッテリのユニットが互いに熱的に隔離されていることを特徴とするリチウムイオンバッテリ装置。
【発明の詳細な説明】
【技術分野】
【０００１】
本発明は熱暴走しないリチウムイオンバッテリ装置に関する。
【背景技術】
【０００２】
近年、ボーイング７８７の飛行停止命令が問題となっている。この事故では、積載しているリチウムイオンバッテリにその原因があることが分かった。リチウムイオンバッテリが熱暴走を起こし、発火するということである。
【発明の概要】
【発明が解決しようとする課題】
【０００３】
今までのリチウムイオンバッテリは、熱暴走が起きるという重大な問題があった。本発明はこのような課題に鑑みてなされたものであって、リチウムバッテリが熱暴走を起こさず安全に作動させることができるリチウムイオンバッテリ装置を提供することを目的としている。
【課題を解決するための手段】
【０００４】
リチウムイオンバッテリユニットが熱暴走をしないように配置したことを特徴とする。
【発明の効果】
【０００５】
リチウムイオンバッテリが接触しないようにしたので、リチウムイオンバッテリを安全に動作させることができる。
【図面の簡単な説明】
【０００６】
【図１】本発明の実施例１を示す図
【図２】本発明の実施例２を示す図
【図３】本発明の実施例３を示す図
【図４】本発明の実施例４を示す図
【発明を実施するための形態】
【０００７】
以下、図面を参照して本発明の動作を詳細に説明する。
図１は本発明の実施例１を示す図である。図において、１はリチウムイオンバッテリを収納する収納箱、２は該収納箱１に収納された例えば＃１〜＃８までの８個のリチウムイオンバッテリユニットである。収納部１としては、頑丈な箱がよい。図では８個までしか示されていないが、収納するバッテリの数は任意でよい。
【０００８】
このように構成された構成において、隣り合うバッテリユニット同志の間隔Ｗは、一つのバッテリユニットが発熱しても隣のユニットが熱伝導しないような空間Ｗが設けられている。従って、あるバッテリユニットが発熱しても隣のユニットが接触しないので、接触して熱暴走事故を起こすことはない。航空機用のリチウムイオンバッテリにおいて、成層圏を飛行するのでこの冷気をバッテリ間のＷに通せばユニットが冷やされ、あるバッテリユニットが高温のために膨張して隣のバッテリと接触して熱暴走を起こし、発火するという最悪の事態を避けることができる。
【０００９】
図２は本発明の実施例２を示す図である。図１と同一のものは、同一の符号を付して示す。この実施例は、リチウムイオンバッテリ２が収納される収納箱１に、クッションとしての機能と、断熱材としての機能を有する断熱材３を充填したものである。このようにすれば、バッテリ同志が衝撃で接触することはなく、また衝撃をクッション材３で吸収するので、バッテリ２が接触して熱暴走を起こし、発火することを防止することができ、高熱が隣のバッテリに伝わることもない。なお、バッテリ２の数は任意でよいことはいうまでもない。
【００１０】
図３は本発明の実施例３を示す図である。図１と同一のものは、同一の符号を付して示す。図に示す実施例は、各リチウムイオンバッテリ２に主として上下方向の衝撃吸収用のスプリング４を取り付けたものである。スプリング４は、各バッテリごとにバッテリユニット２と収納部１との間に設けられる。
このように構成すれば、ユニット同志が離れているので、お互いに熱伝導することなく、また熱膨張しても他のユニットを傷めることがない上、衝撃により、リチウムイオンバッテリユニット２に加わる力はスプリング４により吸収される。従って、リチウムイオンバッテリユニット２が飛行機の離着陸時に衝撃を受けたり、ユニットが隣同志と接触して熱膨張を起こし、発火する事故を防ぐことができる。
【００１１】
図４は本発明の実施例４を示す図である。図１〜図３と同一のものは同一の符号を付して示す。この実施例は、収納箱１に収納されているリチウムイオンバッテリユニット２の内箱５内にクッション材３でバッテリユニット２を囲み、この内箱５に衝撃吸収用のスプリング４を取り付けたものである。スプリング４は、前記内箱５と収納箱１との間に取り付けられている。
このように構成すれば、断熱クッション材３によってバッテリユニット２の一つが発熱しても、他のユニットを加熱することなくまた、一つのユニットが熱により膨張しても、他のユニットを圧迫して変形させることがなく、また離着陸時の衝撃によりバッテリ同志が接触することはなく、また大きな衝撃はスプリング４で吸収することができる。従って、この実施例によれば熱や膨張や衝撃によるあらゆる事故からリチウムバッテリ２を保護することができ、また熱暴走も起こらない。
【産業上の利用可能性】
【００１２】
本発明は、バッテリから駆動されるあらゆるものに利用することができ、熱暴走しないリチウムイオンバッテリを得ることができ、航空機事故を起こさずに安全に運航することができる。従って、産業上の利用可能性が大である。
【符号の説明】
【００１３】
１  収納箱
２  リチウムイオンバッテリ
３  クッション材
４  スプリング
５  内箱
【図１】
2014216141.tif 000003
【図２】
2014216141.tif 000004
【図３】
2014216141.tif 000005
【図４】
2014216141.tif 000006
(57)【要約】【課題】  従来の風呂掃除用の丈の短いブーツ型の靴では、間口が広く丈が短いため、靴の中に水や洗剤が入ってしまったり、膝まで足や衣類が濡れてしまうことが多かった。  本発明は、靴の中に水や洗剤が入ってしまりたり、足や衣類が濡れるのを防ぐ、足濡れ防止カバーを提供する。【解決手段】  防水性、または、撥水性の素材の布を筒状に縫い合わせたカバー（１）の上端（６）に紐通し折り返し部を設け、紐通し折り返し部に紐（２）を通し、紐通し折り返し部に小穴（５）を設け、小穴から出した紐（２）にコードストッパー（３）を設け、カバー（１）の下端（７）にゴム通し折り返し部を設け、ゴム通し折り返し部にゴム（４）を通したことを特徴とする足濡れ防止カバー。【選択図】図１
2014188360.tif 000002
【特許請求の範囲】
【請求項１】
防水性、または、撥水性の素材の布を筒状に縫い合わせたカバー（１）の上端（６）に紐通し折り返し部を設け、紐通し折り返し部に紐（２）を通し、折り返し部に小穴（５）を設け、小穴から出した紐（２）にコードストッパー（３）を設け、カバー（１）の下端（７）にゴム通し折り返し部を設け、ゴム通し折り返し部にゴム（４）を通すことを特徴とする足濡れ防止カバー。
【発明の詳細な説明】
【技術分野】
【０００１】  本発明は、風呂掃除の際に、足や衣類が濡れるのを防ぐために足にはめて使用する足濡れ防止カバーに関するものである。
【背景技術】
【０００２】  従来、風呂の掃除をするとき、履く履物は、間口の広いブーツ型、スリッパ型のものがあり、風呂の掃除の際は、素足、もしくは、くるぶしまでの上記のような履物を履くだけであった。
【先行技術文献】
【特許文献】
【０００３】
【特許文献１】  登録実用新案第３０５９８３２号公報
【発明の概要】
【発明が解決しようとする課題】
【０００４】  市販されているブーツ型の履物やスリッパを履くだけでは、次のような欠点があった。
（イ）水で洗い流すときなどに、履物の間口が広いため、どうしても靴の中に水や洗剤が    入ってしまい足が濡れてしまうので不快であった。
（ロ）丈が短い（くるぶし程）ため、水や洗剤がはねてしまい、衣類を濡らさずに掃除を    するには、膝の上までズボンの裾をまくったり、靴下を脱いだりしなければならなか    った。
本発明は、以上の問題点を解決するものである。
【課題を解決するための手段】
【０００５】  防水性、または、撥水性の素材の布を筒状に縫い合わせたカバー（１）の上端（６）に紐を通すための折り返し部を設け、紐（２）を通し、通した紐（２）を出すための小穴（５）を折り返し部に設け、小穴（５）から出した紐（２）にコードストッパー（３）を設ける。
次に、カバー（１）の下端（７）にゴム（４）を通すための折り返し部を設け、ゴム（４）を通すことを特徴とする足濡れ防止カバー。
【発明の効果】
【０００６】（イ）市販されているくるぶしほどまでのブーツ型の靴の間口に、本発明のカバーの下端    ゴム部分をかぶせフィットさせることにより、間口から水が入るのを防げるため、足    が濡れない。
（ロ）本発明のカバーはひざ程まで丈があるため、水や洗剤が膝まではねても足や衣類を    濡らさずに掃除をすることが可能となる。
（ハ）本発明のカバーを使用することにより、ズボンの裾をまくったり、靴下を脱がなく    ても掃除をすることが可能となる。
【図面の簡単な説明】
【０００７】
【図１】  本発明の斜視図である。
【図２】  本発明の使用状態を示した説明図である。
【発明を実施するための形態】
【０００８】  以下、本発明の実施の形態を説明する。
（イ）防水性、または、撥水性の素材の布を筒状に縫い合わせたカバー（１）の上端（６    ）に紐を通すための折り返し部を設ける。
（ロ）上端（６）に紐（２）を通し、通した紐（２）を出すための小穴（５）を上端（６    ）に設ける。
（ハ）小穴（５）から出した紐（２）にコードストッパー（３）を設ける。
（ニ）カバー（１）の下端（７）にゴムを通すための折り返し部を設け、ゴム（４）を通    す。
本発明は以上のような構造である。
本発明のカバーを使用するときは、筒状に縫い合わせたカバー下端（７）の輪部分を市販の靴（８）の間口にかぶせ、カバーと靴を合体させる。
合体させたカバー上端（６）より足を入れて靴を履き、カバーを膝下まで上げて、コードストッパーで調節し、足にフィットさせる。
そうすることにより膝下まで隠せるので、足や衣類が濡れるのを防ぐことができる。
【符号の説明】
【０００９】    １  カバー
２  紐
３  コードストッパー
４  ゴム
５  小穴
６  上端
７  下端
８  市販されているブーツ型の履物
【図１】
2014188360.tif 000003
【図２】
2014188360.tif 000004
(57)【要約】      （修正有）【課題】入れ歯や老人に多い臭い口臭や口の臭いをいい匂いに変えることを可能にする入れ歯安定剤を提供する。【解決手段】従来の入れ歯安定剤にはフレグランス効果がなかったが、従来の入れ歯安定剤による老人などへの入れ歯の安定剤の成分は踏襲しなからも、安定剤にバラやミントなどの口臭を消す為の芳香成分を配合して、入れ歯や老人に多い臭い口臭や口の臭いをいい匂いに変えることを可能にする入れ歯安定剤とする。【選択図】なし【特許請求の範囲】
【請求項１】
〔０００１〕
従来の入れ歯安定剤による老人などへの入れ歯の安定剤の成分は踏襲しなからも、安定剤にバラやミントなどの口臭を消す為の芳香成分を配合して、入れ歯や老人に多い臭い口臭や口の臭いをいい匂いに変えることを可能にする入れ歯安定剤の新しい発明である。
【発明の詳細な説明】
【技術分野】
【０００２】  本発明は従来の入れ歯安定剤に口臭などを消す、フレグランスをイノベーションした発明である。
【提案技術】
【０００３】従来の入れ歯安定剤にはフレグランス効果がなかった。
【発明が解決しようとしている課題】
【０００４】従来の入れ歯安定剤にはフレグランス効果がなかった。
【悩みを解決する手段】
【０００５】従来の入れ歯安定剤に芳香を追加する。
【発明の効果】
【０００６】従来の入れ歯安定剤で芳香、口臭のいい匂いにできる。
【発明を実施するための形態】
【０００７】従来の入れ歯安定剤に芳香をプラスしていい口臭にできる。
(57)【要約】      （修正有）【課題】簡易に軽い物を吊ったり挟持することのできる装置を提供する。【解決手段】はしご状の帯３と親ロープ１と子ロープ２により構成され、親ロープ１は、はしご状の帯３の一端で固定４してから、はしご状の帯３の開放部に交互に挿入して他端から引き出し、子ロープ２の一端をはしご状の帯３の他端と固定５したことを特徴とする挟持装置で、はしご状の帯３の他端から出ている親ロープ１と子ロープ２の自由端のそれぞれを、はしご状の帯３の一端から出ている親ロープ１の自由端と反対方向に引張ることで、はしご状の帯３とその開放部に交互に挿入された親ロープ１で物を挟持する。【選択図】図１
2014188163.tif 000002
【特許請求の範囲】
【請求項１】
はしご状の帯と親ロープと子ロープにより構成され、親ロープは、はしご状の帯の一端で固定してから、はしご状の帯の開放部に交互に挿入して他端から引き出し、子ロープの一端をはしご状の帯の他端と固定したことを特徴とする挟持装置。
【発明の詳細な説明】
【技術分野】
【０００１】
本発明は、はしご状の帯３と親ロープ１と子ロープ２により構成され、親ロープ１は、はしご状の帯３の一端で固定４してから、はしご状の帯３の開放部に交互に挿入して他端から引き出し、子ロープ２の一端をはしご状の帯３の他端と固定５したことを特徴とする挟持装置で、はしご状の帯３の他端から出ている親ロープ１と子ロープ２の自由端のそれぞれを、はしご状の帯３の一端から出ている親ロープ１の自由端と反対方向に引張ることで、はしご状の帯３とその開放部に交互に挿入された親ロープ１で物を挟持するものである。
【背景技術】
【０００２】
従来、特許文献１のような弾性力を利用した挟持具が一般的である。
【０００３】
特許文献２にように、挟持力を重視した挟持具もある。
【先行技術文献】
【特許文献】
【０００４】
【特許文献１】特開２０１０−２８４１９７号公報
【特許文献２】特開２００２−６６１９２号公報
【発明の概要】
【発明が解決しようとする課題】
【０００５】
挟持力を重視しないで、簡易に軽い物を吊ったり挟持することのできる装置を求めた。
【０００６】
従来の挟み具に変わる手段として、はしご状の帯と、その開放部に交互に挿入された親ロープで物を挟む構造を考えた。
【課題を解決するための手段】
【０００７】
はしご状の帯３の他端から出ている親ロープ１と子ロープ２の自由端のそれぞれを、はしご状の帯３の一端から出ている親ロープ１の自由端と反対方向に引張ることで、はしご状の帯３と、その開放部に交互に挿入された親ロープ１で物を挟持する。
【発明の効果】
【０００８】
洗濯物などの場合、個々の挟持具を使わずに、この挟持装置のみで干すことができる。
【０００９】
はしご状の帯３の開放部に挿入する親ロープ１の間隔を調整することで、挟む物の幅に対応できる。
【図面の簡単な説明】
【００１０】
【図１】請求１項の側面図
【図２】請求１項の平面図
【図３】はしご状の帯の側面図
【図４】実施例の側面図
【発明を実施するための形態】
【００１１】
布を干す場合
【実施例】
【００１２】
親ロープ１は、はしご状の帯３の一端で固定する。
【００１３】
親ロープ１の他端を、はしご状の帯３の一端側の開放部に挿入してから次の開放部から引き出し、これを、はしご状の帯３の他端まで繰り返す。
【００１４】
子ロープ２の一端をはしご状の帯３の他端と固定する。
【００１５】
はしご状の帯３の一端から出ている親ロープの１自由端と、はしご状の帯３の他端から出ている親ロープ１と子ロープ２の自由端を反対方向に引張る。
【００１６】
はしご状の帯３と親ロープ１の間に布６を挟んで干す。
【符号の説明】
【００１７】
１  親ロープ
２  子ロープ
３  はしご状の帯
４  親ロープとはしご状の網の一端側の固定部分
５  子ロープとはしご状の網の他端側の固定部分
６  実施例で使う布
【図１】
2014188163.tif 000003
【図２】
2014188163.tif 000004
【図３】
2014188163.tif 000005
【図４】
2014188163.tif 000006
(57)【要約】      （修正有）【課題】ステレオレコードにおけるトレーシング能力を向上させたトーンアームを提供する。【解決手段】レコード６再生に使用されるカートリッジの振動機構３のバーチカルアングルの延長線４をトーンアーム２の支点５に合わせ、延長線とレコードの間に角度１を設ける。このようなトーンアームの構成とすることにより、確実にカートリッジの振動機構を支えることができ、トレーシング能力の向上、歪みの低減、立体感の向上ならびに音に対する明確化などが認められた。【選択図】図１
2014026711.tif 000002
【特許請求の範囲】
【請求項１】
バーチカルアングルの角度を付けたトーンアーム
【発明の詳細な説明】
【技術分野】
【０００１】レコード再生に使用されるトーンアームにバーチカルアングルを設け、カートリッジを確実に支持しようとするものである。
【背景技術】
【０００２】レコードプレイヤーのトーンアームは、レコード面に対し、水平に保つのが通常であり常識であった。
【先行技術文献】
【特許文献】
【０００３】
【特許文献１】
【非特許文献１】
【発明の概要】
【発明が解決しようとする課題】
【０００４】従来トーンアームにはバーチカルアングル対しての考慮が無視されていて、カートリッジの振動機構の振動方向と、異なる方向より支えられていて、振動機構が充分に支えられているとは言えず、その不都合を解消するものである。
【課題を解決するための手段】
【０００５】レコード盤（６）の音溝は水平に刻まれていて、その溝をなぞって再生されるカーリッジの振動機構（３）は、通常水平ではなく、ある角度を持たせている。これは、レコードの製作の際、理由あってバーチカルアングルと言われる角度を持たせて、レコード溝をカッテングしているためで、カッティングマシンの振動系の支点の方向と、再生する側の支点を、同方向に合わせるために、上記カートリッジ振動機構（３）に同じ角度を付けて、良好な振動伝達が行われている。  本発明は同様にして、トーンアーム（２）に於いても、カートリッジの振動機構（３）のバーチカルアングルと同じ方向の角度（１）にする事により、確実に振動機構を支え、保持させるものである。  このカートリッジ振動機構には、レコードより加速度の大きな振動が加わるため、本来は強固に支えるなければならない理由があるためで、同じ方向の延長線上にトーンアーム支点（５）を合わせ解決した。
【発明の効果】
【０００６】カートリッジの振動機構のバーチカルアングルの延長線上で支えるため、合理的に明確な保持が行われ、ステレオレコードにおける、トレーシング能力の向上、それに伴う歪の減少、立体感の向上、音に対する明確化など認められた。
【図面の簡単な説明】
【０００７】
【図１】本発明の側面図
【発明を実施するための形態】
【０００８】以下、本発明の実施の形態について説明する。
（３）のカートリッジの振動機構のバーチカルアングルの延長線（４）を、トーンアーム（２）の支点（５）に合わせ、延長線とレコード（６）の間に角度（１）を設け実施する。
【符号の説明】
【０００９】（１）バーチカルアングル
（２）トーンアーム一例
（３）カートリッジの振動機構の例
（４）カートリッジの振動機構のバーチカルアングル延長線
（５）トーンアーム支点
（６）レコード
【図１】
2014026711.tif 000003
(57)【要約】【課題】電源電圧において発生する突発的な変動に対して、安定した電圧を出力することが可能なレギュレータを提供すること。【解決手段】基準電圧回路、差動増幅器、ディプリーション型ＮＭＯＳトランジスタ、ブリーダ回路を備えたレギュレータであって、差動増幅器の電源端子をレギュレータの出力端子に接続する構成とする。また、基準電圧回路の電源端子をレギュレータの出力端子に接続する構成とする。【選択図】図１
2014026610.tif 000002
【特許請求の範囲】
【請求項１】
基準電圧回路と、
ドレインが電源端子に接続され、ソースがレギュレータの出力端子に接続されるディプリーション型ＮＭＯＳトランジスタと、
前記レギュレータの出力端子と接地端子の間に接続される分圧回路と、
第一入力端子が前記基準電圧回路の出力端子に接続され、第二入力端子が前記分圧回路の出力端子に接続され、正電極が前記レギュレータの出力端子に接続され、負電極が接地端子に接続され、出力端子が前記ディプリーション型ＮＭＯＳトランジスタのゲートに接続される差動増幅器と、
を備えることを特徴とするレギュレータ。
【請求項２】
前記基準電圧回路は、正電極が前記レギュレータの出力端子に接続され、負電極が接地端子に接続される
ことを特徴とする請求項１に記載のレギュレータ。
【発明の詳細な説明】
【技術分野】
【０００１】
本発明は、センサ装置等の電子回路に所望の安定電源を供給するために利用されるレギュレータに関する。
【背景技術】
【０００２】
様々な電子機器に安定した電源を供給するため、レギュレータが利用されている。レギュレータは、たとえば高い電圧を電源として駆動する車載用サンサ装置等において、内部の信号処理回路に安定した低い電圧を電源として供給する用途で使われている。
上述のレギュレータ、特に寄生発振の起こりにくいレギュレータの一例として図３に示す構成のものが考案されている（例えば、特許文献１参照）。
【０００３】
従来のレギュレータは、基準電圧回路１と、差動増幅器２と、ディプリーション型ＮＭＯＳトランジスタ３と、第一抵抗Ｒ１と、第二抵抗Ｒ２と、を備える。基準電圧回路１の正電極、差動増幅器２の正電極、およびディプリーション型ＮＭＯＳトランジスタ３のドレインは、それぞれ電源端子に接続される。基準電圧回路１の負電極、差動増幅器２の負電極、および第二抵抗Ｒ２の一端は、それぞれ接地端子に接続される。また、第一抵抗Ｒ１は、一端がディプリーション型ＮＭＯＳトランジスタ３のソースに接続され、他端が第二抵抗Ｒ２の他端に接続される。差動増幅器２は、第一入力に基準電圧回路１の出力端子が接続され、第二入力に第一抵抗Ｒ１と第二抵抗Ｒ２の接点が接続され、出力端子がディプリーション型ＮＭＯＳトランジスタ３のゲートに接続される。
【０００４】
上述のように構成されたレギュレータは、レギュレータの出力電圧Ｖｏｕｔと入力された電源電圧Ｖｉｎとの差が小さい場合でも、寄生発振が起こりにくく、安定した電圧を出力することが可能である。
【先行技術文献】
【特許文献】
【０００５】
【特許文献１】特開２００８−１９２０８３号公報
【発明の概要】
【発明が解決しようとする課題】
【０００６】
しかしながら、従来のレギュレータでは、入力される電源電圧Ｖｉｎに変動が生じた場合、安定出力されるべき出力電圧Ｖｏｕｔに変動が生じてしまうという課題がある。入力される電源電圧Ｖｉｎに変動が生じた場合、差動増幅器２の電源も変動するため、差動増幅器２の出力電圧Ｖｇにも変動が生じる。結果として、レギュレータの出力電圧Ｖｏｕｔも変動することになる。
【０００７】
本発明の目的は、入力される電源電圧Ｖｉｎにおいて発生する突発的な変動に対して、安定した出力電圧Ｖｏｕｔを出力できるレギュレータを提供することである。
【課題を解決するための手段】
【０００８】
従来のこのような課題を解決するために、本発明のレギュレータは以下のような構成とした。
【０００９】
基準電圧回路、差動増幅器、ディプリーション型ＮＭＯＳトランジスタ、ブリーダ回路を備えたレギュレータであって、差動増幅器の電源端子をレギュレータの出力端子に接続する構成とする。また、基準電圧回路の電源端子をレギュレータの出力端子に接続する構成とする。
【発明の効果】
【００１０】
本発明のレギュレータによれば、簡単な回路構成で入力される電源電圧において生じる変動が出力電圧に及ぼす悪影響を抑制することができる。
【図面の簡単な説明】
【００１１】
【図１】本実施形態のレギュレータを示す回路図である。
【図２】本実施形態のレギュレータの他の例を示す回路図である。
【図３】従来のレギュレータの回路図である。
【発明を実施するための形態】
【００１２】
図１は、本実施形態のレギュレータを示す回路図である。本実施形態のレギュレータは、基準電圧回路１と、差動増幅器２と、ディプリーション型ＮＭＯＳトランジスタ３と、分圧回路４と、を備えている。
【００１３】
基準電圧回路１は、正電極が電源端子に接続され、負電極が接地端子に接続される。差動増幅器２は、非反転入力端子が基準電圧回路１の出力端子に接続され、反転入力端子が分圧回路４の出力端子に接続され、正電極がレギュレータの出力端子に接続され、負電極が接地端子に接続される。ディプリーション型ＮＭＯＳトランジスタ３は、ドレインが電源端子に接続され、ソースがレギュレータの出力端子に接続され、ゲートが差動増幅器２の出力端子に接続される。分圧回路４は、レギュレータの出力端子と接地端子の間に接続される。
【００１４】
本実施形態のレギュレータは、出力電圧Ｖｏｕｔを式１に示すように決定される。
Ｖｏｕｔ＝Ｖｒｅｆ×（Ｒ１＋Ｒ２）／Ｒ２  ・・・  （１）
但し、Ｖｒｅｆは基準電圧、Ｒ１、Ｒ２は分圧回路を構成する抵抗の抵抗値である。
【００１５】
ここで、本実施形態のレギュレータは、差動増幅器２の正電極がレギュレータの出力端子に接続されている。すなわち、差動増幅器２は、レギュレータの出力電圧Ｖｏｕｔを電源として動作している。従って、電源電圧Ｖｉｎに突発的な変動が生じた場合であっても、差動増幅器２の出力電圧Ｖｇに電圧変動が生じることはない。
【００１６】
以上説明したように、本実施形態のレギュレータによれば、電源電圧Ｖｉｎに突発的な変動が生じても、安定した出力電圧Ｖｏｕｔを出力することが出来る。
【００１７】
図２は、本実施形態のレギュレータの他の例を示す回路図である。
図２のレギュレータは、更に、基準電圧回路１の正電極をレギュレータの出力端子に接続する構成とした。
【００１８】
基準電圧回路は、電源電圧によらず一定の電圧である基準電圧Ｖｒｅｆを出力するように設計される。しかし、図２のように構成することによって、基準電圧回路は、更に電源電圧の変動に影響されなくなる。従って、レギュレータは、電源電圧Ｖｉｎに突発的な変動が生じても、安定した出力電圧Ｖｏｕｔを出力することが出来る。
【符号の説明】
【００１９】
１  基準電圧回路
２  差動増幅器
４  分圧回路
【図１】
2014026610.tif 000003
【図２】
2014026610.tif 000004
【図３】
2014026610.tif 000005
(57)【要約】      （修正有）【課題】洋式便器において便器の周りを汚さず、立ち小便ができる小便器を提供する。【解決手段】排尿筒、高さ・幅調節器具、雫受け、収納スタンドを設け、洋風便器に取り付けることで小便の行く先・方向をコントロールする。【選択図】図１
2014169613.tif 000002
【特許請求の範囲】
【請求項１】
「排尿筒」「高さ・幅調節器具」「雫受け」「収納スタンド」一式で成り立ち和・洋便器で立ち小便が出来る。着脱式小便器「図１」「図２」参照
【発明の詳細な説明】
【技術分野】
【０００１】そのまま使い続けると、尿酸が蓄積されて、悪臭を放つようになるので、毎回、便器脇に設置する水差しで、排尿前後に少量の水を流し尿酸の蓄積を防ぎ、消臭剤を一吹きして，蓋を閉じておく。（図２参照）
【背景技術】
【０００２】現代の一般庶民の家庭では、男性専用の便器のあるところは少なく住民の男性が、若ければ若いほど、女性には理解しにくい悩みを持っているものと思います。この発明で解決出来るのです。
【先行技術文献】
【特許文献】
【・・・・】
【非特許文献】
【・・・・】
【非特許文献１】
【発明の概要】
【発明が解決しようとする課題】
【０００３】人間７０才を超えると、足腰が弱くなり、間隔が近くなった小便の度に、便座に座りて用を達して、立ち上がるのが大変、そこで、便座を立てて立ったまま小便を、行えば、二股に広がったり，思いもしない方向へ飛び散り、なかなかコントロール出来なくて、便器の周りを汚してしまい、家族に文句を言われる始末。これを何とか解決したい。
若い男性は、尚更コントロールが難しく、これも、解決してあげたい。
【課題を解決するための手段】
【０００４】図１の上部にある蓋を開け筒の中に排尿するのでどんなに勢いが強くても脇に漏れる心配はありません。
【発明の効果】
【０００５】７９才の老体も誰に気兼ねすることなしに、安らかな日々を送れます。
年老いて足腰の弱くなった女性も使用可能であると思います。
【図面の簡単な説明】
【０００６】
【図１】図１の２０ｍｍパイプの長さは身長に合わせて短く出来るので長目にしておく。
【図２】図２は洋式便器に設置した状態を示したもので、便器の縁の幅に合わせて何処にでも設置でき、収納スタンドを併用することで使いやすくなり、雫受けは、取り外しできるので便器の内側から収納スタンドに収納するまで下部を支ええて清潔に使用出来る。
【図１】
2014169613.tif 000003
【図２】
2014169613.tif 000004